(57)【要約】【課題】内カバー（Ａ）をガラス面（２）に張り付ける事で、泥棒の侵入を防ぎ、中カバー（Ｂ）を上下にスライドさすことで、開口（Ｅ）の調節ができ、光を自由に取り込めるカバーです。夜間は開口（Ｅ）を閉じれば、目隠し効果と防犯効果が同時に生まれ、ダニやカビやほこりを寄せ付けない、防犯用目隠し窓カバーを提供する。【解決手段】前記、内カバー（Ａ）をガラス面（２）の外周面にサイズを合わせて切断し、図３に示されるように、接着効果の高い両面テープでガラス面（２）の外周面の接着面（６）に簡単に張り付けられるようにしたことを特徴とする。【選択図】  図３
2004238964.tif 000002
【特許請求の範囲】
【請求項１】
防犯効果と目隠し効果を目的とした、内カバー（Ａ）を窓枠（１）又は、ガラス面（２）のいずれかの外周面に接着効果の高い両面テープで簡単に取り付けられるようにした、内カバー（Ａ）及び、中カバー（Ｂ）からなる、防犯用目隠し窓カバー。
【請求項２】
前記、内カバー（Ａ）の上部には開口（Ｅ）が設けてあり、中カバー（Ｂ）を左右のレール（Ｃ）に挟むように取り付け、中カバー（Ｂ）を上下にスライドさせる事で、開口（Ｅ）の開閉を調整出来るようにした、請求項１に記載の防犯用目隠し窓カバー。
【発明の詳細な説明】
【０００１】
【発明の属する技術分野】
この発明は、防犯効果と目隠し効果を持たせた、防犯用目隠し窓カバーに関するものである。
【０００２】
【従来の技術】
従来のカーテンは、泥棒が簡単に、侵入できた。
（例えば、特許文献１参照。）。
又、ブラインドカーテンも、侵入が簡単である。
（例えば、特許文献２参照。）。
【０００３】
【特許文献１】特開平２−１２１６０７号公報
【特許文献２】特開平７−１７７９５９号公報
【０００４】
【発明が解決しようとする課題】
ブラインド又は、カーテンやロールカーテンは、次のような欠点があった。
（特許文献１）特開平２−１２１６０７号公報のカーテンやロールカーテンは、次のような欠点があった。
１  防犯効果が無く、泥棒がガラスを割り、カーテンやロールカーテンを開ければ、簡単に侵入出来た。
２  カーテンやロールカーテンは布製の物が多く、タバコの臭いや汚れが付きやすく、部屋の悪臭の原因になっていた。
３  ほこりを寄せ付けるため、開閉するたびに、ほこりが舞い、部屋を汚す原因になり、クリーニング代も高額である。
４  カーテンやロールカーテンは布製の物が多く、換気が悪いと、ダニやカビが発生し、発病する恐れがある。
（特許文献２）特開平７−１７７９５９号公報のブラインドは、次のような欠点があった。
１  防犯効果が無く、泥棒がガラスを割り、ブラインドを開ければ、簡単に侵入出来た。
２  ブラインドは角度により、屋内が見透かされ、羽根部分が折れやすく、掃除も大変です。
本発明は、以上の欠点を解決するためのものである。
【０００５】
【課題を解決するための手段】
本発明は、防犯効果と目隠し効果を目的とした、内カバー（Ａ）の外周面とガラス面（２）の外周面の接着面（６）に接着効果の高い両面テープで簡単に取り付けられるようにした、内カバー（Ａ）及び中カバー（Ｂ）からなる、請求項１に記載の防犯用目隠し窓カバーを提供することにより上記課題を解決したものである。
本発明は、前記、内カバー（Ａ）の上部には開口（Ｅ）が設けてあり、中カバー（Ｂ）を左右のレール（Ｃ）に挟むように取り付け、中カバー（Ｂ）を上下にスライドさせる事で、開口（Ｅ）の開閉を調整出来るようにした、請求項１又は２に記載の防犯用目隠し窓カバーを提供することにより上記課題を解決したものである。
本発明は、以上の構成よりなる防犯用目隠し窓カバーである。
【０００６】
【発明の実施の形態】
以下、本発明の実施の形態について説明する。
泥棒の侵入を防ぐ効果と目隠し効果を持たせた、前記、内カバー（Ａ）をガラス面（２）の外周面にサイズを合わせて切断し、図３に示されるように、接着効果の高い両面テープでガラス面（２）の外周面の接着面（６）に簡単に取り付けが出来る、請求項１に記載の防犯用目隠し窓カバーです。
前記、内カバー（Ａ）の上部には開口（Ｅ）が設けてあり、図２に示されるように、中カバー（Ｂ）を左右のレール（Ｃ）に挟むように取り付け、中カバー（Ｂ）を上下にスライドさせる事で、開口（Ｅ）の開閉を調整出来るようにした、開口（Ｅ）を閉じれば防犯効果と目隠し効果が生まれる、請求項１又は２に記載の防犯用目隠し窓カバーです。
前記、内カバー（Ａ）の外周面には図４に示されるように、切り取り部分を二重、三重、と多数設けてあり、切り取り部分は矩形状に形成しており、切断作業を簡単にしたものです。
開閉時に対面の窓枠（１）にあたらないように、内カバー（Ａ）及び、中カバー（Ｂ）の厚さは、両面テープを含めて、１ｃｍ以内で形成します。
前記、内カバー（Ａ）及び中カバー（Ｂ）はプラスチック製で薄く形成してあり、明かりを通すので、あまり暗くならずに、障子感覚で使用ができ、やわらかい、光を取り込め、色はカーテン同様で、色々な色や模様が楽しめます。
現在、カーテンを使用している、ご家庭でも、防犯用目隠し窓カバーを使用すれば、防犯効果がアップします。
本発明は以上のような構造で、これを使用するときは、昼間は開口を開け、光を取り入れ、夜間は防犯効果と目隠し効果を必要とするので、開口を閉じて使用すればいい。
【０００７】
【発明の効果】
１  窓にカバーを付けたことで、防犯や保温効果が生まれた。
２  開口を設けた事で、圧迫感が無く障子感覚で使用出来る。
３  開口がスライト゛する事で、光の調節が出来るようになった。
４  カバーがプラスチック製なので、ほこりや臭いが付きにくく、ダニやカビの発生を抑え、掃除も簡単です。
５  切り取り部分を設けた事で、窓枠に合せて、多少の調整が可能になった。
６  現在、カーテンを使用していても、防犯用目隠し窓カバーの使用ができ、防犯に役立ちます。
前記、内カバー（Ａ）は両面テープで張り付けますが、ハガス時はとても手間がかかり、泥棒には、とても効果があります、泥棒は一軒家の場合、６０％以上が窓ガラスを割り、侵入するそうです、侵入から逃走まで１０分以内で仕事をするので、手間のかかる家は最初から狙いません。例えば、防犯用目隠し窓カバーを使用していれば、窓ガラスを割られても、カバーが有るので、カギの位置が分からないため、カギを開けるには、ガラス面を大きく割り、カバーを外さないと、カギが開けられません、最終的には時間がかかり、泥棒も諦めてしまう、防犯用目隠し窓カバーです。
【図面の簡単な説明】
【図１】本発明の防犯用目隠し窓カバーの分解斜視図である。
【図２】本発明の防犯用目隠し窓カバーの分解斜視図である。
【図３】本発明の防犯用目隠し窓カバーの取り付け図である。
【図４】本発明の防犯用目隠し窓カバーの切り取り部分拡大図である。
【図５】本発明の防犯用目隠し窓カバーのイメージ図である。
【符号の説明】
Ａ  内カバー
Ｂ  中カバー
Ｃ  レール
Ｄ  切り取り部分
Ｅ  開口
Ｆ  戸って
Ｇ  不要枠
１  窓枠
２  ガラス面
３  鍵部
４  上枠
５  下枠
６  接着面
【図１】
2004238964.tif 000003
【図２】
2004238964.tif 000004
【図３】
2004238964.tif 000005
【図４】
2004238964.tif 000006
【図５】
2004238964.tif 000007